(57)【特許請求の範囲】
【請求項１】
天端外側角部に換気用切欠部が設定間隔をおいて形成された基礎および２階の床梁間に取り付けられた外壁パネルと、外壁パネルの室内側において、基礎に敷設された床材と２階の床梁間に外壁パネルと一定の間隙を有して建て込まれた内壁と、基礎の外面側上端部に固定され、基礎の換気用切欠部に連通可能な水切り部材と、外壁パネルの上部に設けられた１個または複数個の通気ガラリと、からなり、水切り部材と基礎との隙間から導かれた外気が基礎の換気用切欠部、外壁パネルと内壁との間隙および通気ガラリを通して流通することを特徴とする建物の換気構造。
【請求項２】
基礎または下階の鉄骨梁および上階の鉄骨梁間に取り付けられた外壁パネルと、外壁パネルの室内側において、基礎または鉄骨梁に敷設された床材および上階の鉄骨梁間に外壁パネルと一定の間隙を有して建て込まれた内壁と、外壁パネルによって区画された開口に臨んで配設されたサッシユニットと、外壁パネルの、サッシユニットの上部に設けられた１個または複数個の通気ガラリと、からなり、前記サッシユニットの上方水切りプレートに通気口が形成され、サッシユニットの通気口から導かれた外気が外壁パネルと内壁との間隙および通気ガラリを通して流通することを特徴とする建物の換気構造。
【請求項３】
前記サッシユニットの上方水切りプレートには、通気口を開口する位置に温度ヒューズを介して保持されたダンパー本体が回動自在に軸支されていることを特徴とする請求項２記載の建物の換気構造。
【発明の詳細な説明】
【０００１】
【発明の属する技術分野】
本発明は、建物の換気構造に関するものである。
【０００２】
【従来の技術】
従来、基礎や鉄骨梁に固定された壁軸組に対して外壁パネルを固定することにより、建物の外壁を形成することが知られている（例えば、特開平９−３２８８６４号公報参照）。
【０００３】
また、外壁パネルの室内側には、外壁パネルと一定の間隙を有して内壁が建て込まれており、建物の内部を区画している（例えば、特開平１０−１３１３５８号公報参照）。
【０００４】
そして、外壁と内壁との間に形成される間隙を通して外気を流通させることにより、内壁内部に結露することによるカビの発生や腐食を防止し、建物の耐久性を高めている。
【０００５】
【発明が解決しようとする課題】
ところで、このような建物を耐火仕様に形成する場合、各鉄骨梁には、耐火被覆材が取り付けられ、外壁と内壁との間隙が各階毎に密閉されるものである。この結果、外壁と内壁との間隙が各階毎に遮断され、上階を換気することができないという問題があった。
【０００６】
本発明は、このような問題点に鑑みてなされたものであり、耐火仕様の有無に関係なく各階を換気することのできる建物の換気構造を提供するものである。
【０００７】
【課題を解決するための手段】
本発明は、天端外側角部に換気用切欠部が設定間隔をおいて形成された基礎および２階の床梁間に取り付けられた外壁パネルと、外壁パネルの室内側において、基礎に敷設された床材と２階の床梁間に外壁パネルと一定の間隙を有して建て込まれた内壁と、基礎の外面側上端部に固定され、基礎の換気用切欠部に連通可能な水切り部材と、外壁パネルの上部に設けられた１個または複数個の通気ガラリと、からなり、水切り部材と基礎との隙間から導かれた外気が基礎の換気用切欠部、外壁パネルと内壁との間隙および通気ガラリを通して流通することを特徴とするものである。
【０００８】
本発明によれば、水切り部材と基礎の外面との隙間から導かれた外気は、基礎の換気用切欠部を通して外壁パネルと内壁との間隙に導かれ、通気ガラリから流出する。
【０００９】
この結果、建物が耐火仕様に形成されているとしても、少なくとも１階の内壁内部を換気することが可能となり、１階の内壁内部に結露することによるカビの発生や腐食を防止することができ、耐久性を高めることができる。
【００１０】
また、本発明は、基礎または下階の鉄骨梁および上階の鉄骨梁間に取り付けられた外壁パネルと、外壁パネルの室内側において、基礎または鉄骨梁に敷設された床材および上階の鉄骨梁間に外壁パネルと一定の間隙を有して建て込まれた内壁と、外壁パネルによって区画された開口に臨んで配設されたサッシユニットと、外壁パネルの、サッシユニットの上部に設けられた１個または複数個の通気ガラリと、からなり、前記サッシユニットの上方水切りプレートに通気口が形成され、サッシユニットの通気口から導かれた外気が外壁パネルと内壁との間隙および通気ガラリを通して流通することを特徴とするものである。
【００１１】
本発明によれば、サッシユニットの上方水切りプレートに形成された通気口から導かれた外気は、外壁パネルと内壁との間隙に導かれ、通気ガラリから流出する。
【００１２】
この結果、建物が耐火仕様に形成されているとしても、少なくとも窓を設けた各階の内壁内部を換気することが可能となり、各階の内壁内部に結露することによるカビの発生や腐食を防止することができ、耐久性を高めることができる。
【００１３】
本発明において、サッシユニットの上方水切りプレートに通気口を開口する位置に温度ヒューズを介して保持されたダンパー本体が回動自在に軸支されていると、通常、通気口を通して外気を導いて換気することができ、一方、火災発生時においては、温度ヒューズが溶融することにより、ダンパー本体が回動して通気口を閉鎖し、内部に外気を導くことを防止することができる。
【００１４】
【発明の実施の形態】
以下、本発明の建物の換気構造の実施の形態について図面を参照しつつ説明する。
【００１５】
まず、本発明の換気構造を説明するに先立って、建物Ｘの概略を説明する。
建物Ｘは、図７に示すように、３階建てで例示されており、その主要構造部が鉄骨梁Ｈおよび鉄骨柱（図示せず）からなる鉄骨構造体と、基礎Ｋと上階の鉄骨梁Ｈとの間および下階の鉄骨梁と上階の鉄骨梁Ｈとの間にわたってそれぞれ取り付けられ、各階の外壁を形成する複数枚の外壁パネル１と、から構成されている。
【００１６】
そして、鉄骨構造体を構成する鉄骨梁Ｈおよび鉄骨柱は、断面Ｈ字状の形鋼が採用され、相互に連結された複数本の鉄骨梁Ｈによって２階や３階の床梁、３階の小屋梁がそれぞれ形成され、これらの床梁および小屋梁は、図示しない鉄骨柱によって支持されている。
【００１７】
また、基礎Ｋおよび最上階の鉄骨梁Ｈを除く各鉄骨梁（床梁）Ｈには、それぞれ床材１０が敷設されるとともに、最上階の鉄骨梁（小屋梁）Ｈには、屋上の外部床材３０が敷設されている。また、外壁パネル１の室内側において、基礎Ｋに敷設された床材１０および２階の床梁Ｈ間、２階の床梁Ｈに敷設された床材１０および３階の床梁Ｈ間、３階の床梁Ｈに敷設された床材１０および３階の小屋梁Ｈ間には、それぞれ外壁パネル１と一定の間隙Ｓを有して内壁２０が建て込まれている。
【００１８】
図１には、本発明の建物の換気構造の一実施形態が示されている。
この換気構造は、１階の換気を行うものであり、建物Ｘの基礎Ｋおよび２階の床梁Ｈ間に取り付けられた外壁パネル１と、外壁パネル１の室内側において、基礎Ｋに敷設された床材１０および２階の床梁Ｈ間に外壁パネル１と一定の間隙Ｓを有して建て込まれた内壁２０と、基礎Ｋの外面側上端部に固定された水切り部材６と、外壁パネル１の上部に設けられた通気ガラリ７と、から構成されており、基礎Ｋには、その天端外側角部に設定間隔をおいて換気用切欠部ｋが形成されている。
【００１９】
外壁パネル１は、中空無筋のセメント押出成形品であって、図８に示すように、上下方向に貫通する複数個の中空部１ａを有するとともに、その裏面側四隅近傍に一の中空部１ａに連通する下穴１ｂが形成されており、各下穴には、一の中空部１ａの上下端部からそれぞれ挿入されたナット金具５が配設されている。
【００２０】
このような外壁パネル１を基礎Ｋと２階の床梁Ｈとの間および下階の鉄骨梁Ｈと上階の鉄骨梁Ｈとの間に取り付けるため、外壁パネル１の裏面側四隅近傍の所定位置に係合部２ａを有する係合金具２がボルトＢおよびナット金具５を介して固定され、また、基礎Ｋおよび最上階の鉄骨梁（小屋梁）Ｈを除く各鉄骨梁Ｈの上フランジｈ１に、複数枚の支持板３１およびリップ部３２ａを有するチャンネル材を溶接して形成された下部取付部材３（図９および図１０参照）がボルトナットを介して固定されるとともに、各鉄骨梁Ｈ（床梁、小屋梁）の下フランジｈ２に、複数枚の取付板４１およびリップ部４２ａを有するチャンネル材を溶接して形成された上部取付部材４（図１１参照）がボルトナットを介して固定されている。
【００２１】
そして、詳細には説明しないが、裏面側四隅近傍の所定位置にそれぞれ係合金具２が固定された外壁パネル１の下端を、下部取付部材３の支持板３１の室外側突出部に載置した後、その裏面を下部取付部材３のチャンネル材３２の外面および上部取付部材４のチャンネル材４２の外面に当接させ、各係合金具２の係合部２ａを下部取付部材３のチャンネル材３２のリップ部３２ａおよび上部取付部材４のチャンネル材４２のリップ部４２ａにそれぞれ係合させ、ボルトＢを締め付けて係合金具２を外壁パネル１のナット金具５に締結することにより、外壁パネル１を基礎Ｋまたは下階の鉄骨梁Ｈおよびその上階の鉄骨梁Ｈにわたって固定することができる。
【００２２】
床材１０は、基礎Ｋに固定された根太受け１０３に載置された床ユニットであって、矩形に枠組みされた図示しない木製の枠材内に発泡プラスチックなどの断熱材１０１が配設され、枠材上に合板などの床板１０２が固定されたものである。
【００２３】
なお、床材１０の断熱材１０１の下面には、切欠部１０１ａが形成されており、この切欠部１０１ａを通して外壁パネル１と内壁２０との間隙Ｓおよび床下空間が連通されている。
【００２４】
内壁２０は、縦桟および横桟によって矩形に枠組みされた木製の内壁枠２０１の室外側にロックウールやグラスウールなどの断熱材２０２を配設するとともに、内壁枠２０１の一面に防水防湿シート（図示せず）を貼着してなる断熱内壁下地パネル２０３と、断熱内壁下地パネル２０３の室内側に取り付けられた石膏ボードなどの内壁ボード２０４と、から構成され、断熱内壁下地パネル２０３は、２階の床梁Ｈの下フランジｈ２に取り付けられた図示しない固定金具に上端部が固定され、下端部が床材１０の床板１０２に釘固定されている。
【００２５】
なお、各鉄骨梁Ｈには、その室内側を包囲して巻き付けタイプの耐火被覆材Ｆが装着されているが、固定金具に対応する位置の耐火被覆材Ｆを切り裂いて固定金具を耐火被覆材Ｆの外面に露出させることにより、断熱内壁下地パネル２０３を取り付けている。
【００２６】
水切り部材６は、基礎Ｋの外面側上端部に設定間隔をおいて固定された接続部材６１と、これらの接続部材６１にわたって嵌め込まれた長尺な水切り本体６２とからなり、水切り本体６２の下部内端と基礎Ｋとの間には、一定の隙間が形成されている。そして、外壁パネル１の下端と水切り部材６の水切り本体６２との間には、バックアップ材６３を介してシール部材６４が充填されている。
【００２７】
このため、雨水などが基礎Ｋの換気用切欠部ｋを通して浸入することを防止するとともに、外気を水切り本体６２の下部内端と基礎Ｋの外面との隙間から基礎Ｋの換気用切欠部ｋを通して外壁パネル１と内壁２０との間隙Ｓに導くことができる。
【００２８】
通気ガラリ７は、図２に示すように、ガラリ本体７１と、ガラリ本体７１の前面を覆う前面フード７２と、からなり、外壁パネル１の上部に表裏を貫通して形成された下穴１ｃにガラリ本体７１の基部を挿入してビス止めした後、ガラリ本体７１に前面フード７２を装着してビス止めすることにより、外壁パネル１に取り付けられている。そして、ガラリ本体７１と、外壁パネル１の表面との接触部分には、シーリング材が充填されており、雨水などが外壁パネル１の下穴１ｃを通して室内側に浸入することを防止している。
【００２９】
なお、ガラリ本体７１の、外壁パネル１の表面との接触面には、シーリング材をバックアップするため、外壁パネル１の下穴１ｃを包囲してバックアップ材７３が設けられている。
【００３０】
したがって、外気は、水切り部材７の水切り本体６２の下部内端と基礎Ｋの外面との隙間から導かれ、基礎Ｋの換気用切欠部ｋを通して外壁パネル１と内壁２０との間隙Ｓに導くことができる。そして、外壁パネル１と内壁２０との間隙Ｓに導かれた外気は、一部が床材１０の切欠部１０１ａを通して床下空間に流通するとともに、間隙Ｓを上昇して通気ガラリ７から流出する。
【００３１】
この結果、１階の内壁２０内部を換気することができ、内壁２０内部に結露することによるカビの発生や腐食を防止することができ、建物Ｘの耐久性を高めることができる。
【００３２】
図３乃至図５には、本発明の建物の換気構造の他の実施形態が示されている。この換気構造は、一の階に窓を形成した場合に換気を行うものであり、建物Ｘの下階の鉄骨梁Ｈおよび上階の鉄骨梁Ｈ間に取り付けられた外壁パネル１と、外壁パネル１の室内側において、下階の鉄骨梁Ｈに敷設された床材１０および上階の鉄骨梁Ｈ間に外壁パネル１と一定の間隙Ｓを有して建て込まれた内壁２０と、外壁パネル１によって区画された開口に臨んで配設されたサッシユニット８と、サッシユニット８の上方において、外壁パネル１に取り付けられた通気ガラリ７と、から構成されている。
【００３３】
外壁パネル１は、窓上パネル１Ｕ、窓下パネル１Ｄおよび左右の窓横パネル１Ｌ，１Ｒと、から構成され、各窓上パネル１Ｕ、窓下パネル１Ｄおよび左右の窓横パネル１Ｌ，１Ｒによって開口が区画されている。そして、これらの窓上パネル１Ｕ、窓下パネル１Ｄおよび左右の窓横パネル１Ｌ，１Ｒは、詳細には説明しないが、下階の鉄骨梁Ｈおよび上階の鉄骨梁Ｈ間に取り付けられ、左右の縦桟９Ｌ，９Ｒおよびこれらの縦桟９Ｌ，９Ｒ間の上方および下方に連結された上下の横桟９Ｕ，９Ｄからなる開口フレーム９とともに、前述した係合金具２、下部取付部材３および上部取付部材４を利用してそれぞれ取り付けられている。
【００３４】
なお、開口フレーム９には、左右の縦桟９Ｌ，９Ｒおよび上下の横桟９Ｕ，９Ｄによって開口部が形成され、この開口部に面する左右の縦桟９Ｌ，９Ｒおよび上方の横桟９Ｕの各ウエブには、それぞれ設定間隔をおいて複数個の小孔９ａが形成されている。
【００３５】
サッシユニット８は、市販のアルミサッシユニットであって、左右の縦枠８１Ｌ，８１Ｒと、左右の縦枠８１Ｌ，８１Ｒの上端部および下端部にそれぞれ連結された上枠８１Ｕおよび下枠８１Ｄと、これらの左右の縦枠８１Ｌ，８１Ｒ、上枠８１Ｕおよび下枠８１Ｄによって形成された空間内に摺動自在に配設された２枚の引き違いガラス障子８２，８２と、から構成され、上枠８１Ｕおよび下枠８１Ｄには、それぞれ上方水切りプレート８３および下方水切りプレート８４が連結されている。これらの水切りプレート８３，８４は、外壁パネル１の、窓上パネル１Ｕ、窓下パネル１Ｄおよび左右の窓横パネル１Ｌ，１Ｒによって区画された開口に延設されている。
【００３６】
そして、サッシユニット８は、開口フレーム９の左右の縦桟９Ｌ，９Ｒおよび上下の横桟９Ｕ，９Ｄによって形成された開口部に配置され、開口フレーム９の左右の縦桟９Ｌ，９Ｒおよび上下の横桟９Ｕ，９Ｄに適宜固定されている。
【００３７】
また、サッシユニット８の上枠８Ｕに連結された上方水切りプレート８３には、長手方向に間隔をおいて複数個の通気口８３ａが形成されている他、通気口８３ａに臨んでダンパー４０が取り付けられている。
【００３８】
ダンパー４０は、図６に示すように、上方水切りプレート８３に固定された取付部４０１と、取付部４０１にスプリング４０２を介して回動自在に軸支されたダンパー本体４０３と、ダンパー本体４０３をスプリング４０２の付勢力に抗して上方水切りプレート８３の通気口８３ａを開放する位置に保持する温度ヒューズ４０４と、から構成されている。
【００３９】
このため、ダンパー本体４０３は、通常、上方水切りプレート８３の通気口８３ａを開放しているものの、火災による熱を受けて温度ヒューズ４０４が溶融すると、ダンパー本体４０３は、スプリング４０２の付勢力によって水切りプレート８３の通気口８３ａを閉鎖する位置に保持される。このため、火災時においては、外気が水切りプレート８３の通気口８３ａを通して内部に浸入するのを防止することができる。
【００４０】
床材１０は、ＡＬＣ板などの床下地材１０３に床板１０２を敷設して構成されている（図１参照）。
【００４１】
また、内壁２０は、前述したように、内壁枠２０１の室外側に断熱材２０２を配設するとともに、内壁枠２０１の一面に図示しない防水防湿シートを貼着してなる断熱内壁下地パネル２０３と、断熱内壁下地パネル２０３の室内側に貼り付けられた石膏ボードなどの内壁ボード２０４と、から構成されている。
【００４２】
ただし、この実施形態の内壁２０の内壁枠２０１には、サッシユニット８に臨んで開口部２０１ｘが形成されており、この開口部２０１ｘを通して差し込まれた窓額縁２０５が固定されている。
【００４３】
通気ガラリ７は、前述したものと同一であり、その説明は省略する。
この場合、窓上パネル１Ｕに設けた通気ガラリ７を例示したが、必ずしも窓上パネル１Ｕに設ける必要はなく、窓を形成した各階の任意の外壁パネル１の上部に取り付けてもよい。
【００４４】
したがって、外気は、サッシユニット８の上方水切りプレート８３に形成された通気口８３ａおよび左右の縦桟９Ｌ，９Ｒおよび上方の横桟９Ｕにそれぞれ形成された小孔９ａを通して外壁パネル１と内壁２０との間隙Ｓに導くことができ、外壁パネル１と内壁２０との間隙Ｓに導かれた外気は、間隙Ｓを上昇して通気ガラリ７から流出するものである。
【００４５】
この結果、窓を形成した各階の内壁２０内部を換気することができ、内壁２０内部に結露することによるカビの発生や腐食を防止することができ、建物Ｘの耐久性を高めることができる。
【００４６】
なお、前述した実施形態においては、各鉄骨梁Ｈに耐火被覆材Ｆを装着した耐火仕様の建物Ｘにおいて、各階毎に換気するものを例示したが、耐火仕様でない建物についても適用することができる。この場合は、通気ガラリ７を各階毎に必ずしも設置する必要はなく、少なくとも最上階の外壁を形成する外壁パネル１の上部に１個または複数個の通気ガラリ７を設ければよい。
【００４７】
【発明の効果】
以上のように本発明によれば、建物が耐火仕様に形成されているとしても、少なくとも１階または窓を設けた各階の内壁内部を換気することができ、各階の内壁内部に結露することによるカビの発生や腐食を防止することができ、建物の耐久性を高めることができる。
【図面の簡単な説明】
【図１】本発明の建物の換気構造の一実施形態を一部省略して示す縦断面図である。
【図２】通気ガラリおよびその取付要領を説明する分解斜視図である。
【図３】本発明の建物の換気構造の他の実施形態を示す斜視図である。
【図４】図３の換気構造を一部省略して示す縦断面図である。
【図５】図３の換気構造を一部省略して示す横断面図である。
【図６】上方水切りプレートおよび上方水切りプレートに設けられたダンパーの断面図である。
【図７】本発明の換気構造を設けた建物を模式的に示す概略図である。
【図８】外壁パネルおよび外壁パネルに配設されるナット金具と係合金具の関係を示す分解斜視図である。
【図９】外壁パネルと基礎に設けられた下部取付部材との関係を示す斜視図である。
【図１０】外壁パネルと鉄骨梁に設けられた下部取付部材との関係を示す斜視図である。
【図１１】外壁パネルと鉄骨梁に設けられた上部取付部材との関係を示す斜視図である。
【符号の説明】
１  外壁パネル
１Ｕ  窓上パネル
１Ｄ  窓下パネル
１Ｌ，１Ｒ  窓横パネル
２  係合金具
３  下部取付部材
４  上部取付部材
５  ナット金具
６  水切り部材
６１  接続部材
６２  水切り本体
７  通気ガラリ
７１  ガラリ本体
７２  前面フード
８  サッシユニット
８３  上方水切りプレート
８３ａ  通気口
９  開口フレーム
１０  床材
２０  内壁
４０  ダンパー
４０３  ダンパー本体
Ｈ  鉄骨梁
Ｆ  耐火被覆材
Ｋ  基礎
ｋ  換気用切欠部
Ｓ  外壁パネルと内壁との間隙
【図１】
0003798592.tif 000002
【図２】
0003798592.tif 000003
【図３】
0003798592.tif 000004
【図４】
0003798592.tif 000005
【図５】
0003798592.tif 000006
【図６】
0003798592.tif 000007
【図７】
0003798592.tif 000008
【図８】
0003798592.tif 000009
【図９】
0003798592.tif 000010
【図１０】
0003798592.tif 000011
【図１１】
0003798592.tif 000012